(57)【要約】      （修正有）【課題】手振れが発生することなく、遠隔操作で撮像を行うことができる携帯端末および携帯端末の制御方法を提供する。【解決手段】携帯端末１は、撮像を行う少なくとも一のカメラ部１８を有する筐体と、筐体から分離され、カメラ部を遠隔操作する遠隔操作部２６とを有し、遠隔操作部は、入力音声を、カメラ部の画角を制御する制御信号Ｓ２として出力する出力部２２を有し、カメラ部は、出力部が出力した制御信号を受信する受信部１１と、受信部が受信した制御信号に応じて、画角を制御する制御部１７とを有する。【選択図】図３
2010177898.tif 000002
【特許請求の範囲】
【請求項１】
撮像を行う少なくとも一のカメラ部を有する筐体と、
前記筐体から分離され、前記カメラ部を遠隔操作する遠隔操作部と
を有し、
前記遠隔操作部は、
入力音声を、前記カメラ部の画角を制御する制御信号として出力する出力部を有し、
前記カメラ部は、
前記出力部が出力した前記制御信号を受信する受信部と、
前記受信部が受信した前記制御信号に応じて、前記画角を制御する制御部と
を有する
携帯端末。
【請求項２】
前記カメラ部は、
前記受信部が受信した前記入力音声としての前記制御信号の継続時間を検出する検出部を有し、
前記制御部は、
前記検出部によって検出された前記制御信号の継続時間に応じて前記カメラ部の画角を制御する
請求項１記載の携帯端末。
【請求項３】
前記制御部は、
前記検出部によって検出された前記制御信号の継続時間が長い程、前記画角を広角から望遠に制御し、前記画角が最大望遠になった後、前記画角を前記望遠から前記広角に制御する
請求項２記載の携帯端末。
【請求項４】
前記筐体は、
当該筐体における第１の筐体面に配置された第１のカメラ部と、
前記第１の筐体面の反対側の第２の筐体面に配置された第２のカメラ部と
を有し、
前記制御部は、
前記第２のカメラ部よりも前記第１のカメラ部を優先して、前記制御信号に基づいて前記第１のカメラ部の画角を制御する
請求項１から３のいずれか一項に記載の携帯端末。
【請求項５】
撮像を行う少なくとも一のカメラ部を有する筐体から分離され、前記カメラ部を遠隔操作する携帯端末の制御方法であって、
入力音声を、前記カメラ部の画角を制御する制御信号として出力する第１のステップと、
前記第１のステップで出力した前記制御信号を受信する第２のステップと、
前記第２のステップで受信した前記制御信号に応じて、前記画角を制御する第３のステップと
を有する携帯端末の制御方法。
【発明の詳細な説明】
【技術分野】
【０００１】
本発明は、例えば、イヤホンマイクロフォンを使用して、搭載されたカメラの遠隔操作が可能な携帯電話機等の携帯端末および携帯端末の制御方法に関するものである。
【背景技術】
【０００２】
カメラが搭載された携帯電話機等の携帯端末が市場に広く流通している。このような携帯端末を使用して撮像を行う場合には、ユーザは手に携帯端末を把持し、シャッターキー等を押下する。
【０００３】
この場合、例えば、シャッターキーが割り当てられた携帯端末のキーを押下する必要があるため、手振れが発生しやすいという問題が生じていた。このような問題を解決すべく、例えば、特許文献１のような携帯端末が開示されている。
この携帯端末によれば、イヤホンマイクロフォン（以下、イヤホンマイク）に取り付けられたリモートコントロール部のスイッチを押下することにより、カメラを遠隔操作して撮像を行うことができる。
【先行技術文献】
【特許文献】
【０００４】
【特許文献１】特開２００４−２７４５１１号公報
【発明の概要】
【発明が解決しようとする課題】
【０００５】
ところで、近年のカメラが搭載された携帯端末では、ズームインおよびズームアウトが可能なズーム機能を有するものが多い。このような携帯端末を使用して被写体の撮像を行う際には、被写体が適切な大きさで写るように、ズーム倍率の調整が行われることが多い。ズーム倍率を変更するためには、携帯端末のキーが直接操作される。
【０００６】
しかしながら、特許文献１が開示する技術では、遠隔操作によって撮像を行うための撮像指示を携帯端末のカメラに与えることができるが、ズーム倍率を遠隔操作で調整することはできない。このため、ズームインまたはズームアウトを行う際には、携帯端末のキーを直接操作する必要がある。したがって、手振れが発生するだけでなく、非常に使い勝手が悪いという不利益が生じる。
【０００７】
本発明は、手振れが発生することなく、遠隔操作で撮像を行うことができる携帯端末および携帯端末の制御方法を提供することにある。
【課題を解決するための手段】
【０００８】
本発明の携帯端末は、撮像を行う少なくとも一のカメラ部を有する筐体と、前記筐体から分離され、前記カメラ部を遠隔操作する遠隔操作部とを有し、前記遠隔操作部は、入力音声を、前記カメラ部の画角を制御する制御信号として出力する出力部を有し、前記カメラ部は、前記出力部が出力した前記制御信号を受信する受信部と、前記受信部が受信した前記制御信号に応じて、前記画角を制御する制御部とを有する。
【０００９】
好適には、前記カメラ部は、前記受信部が受信した前記入力音声としての前記制御信号の継続時間を検出する検出部を有し、前記制御部は、前記検出部によって検出された前記制御信号の継続時間に応じて前記カメラ部の画角を制御する。
【００１０】
好適には、前記制御部は、前記検出部によって検出された前記制御信号の継続時間が長い程、前記画角を広角から望遠に制御し、前記画角が最大望遠になった後、前記画角を前記望遠から前記広角に制御する。
【００１１】
好適には、前記筐体は、当該筐体における第１の筐体面に配置された第１のカメラ部と、前記第１の筐体面の反対側の第２の筐体面に配置された第２のカメラ部とを有し、前記制御部は、前記第２のカメラ部よりも前記第１のカメラ部を優先して、前記制御信号に基づいて前記第１のカメラ部の画角を制御する。
【００１２】
本発明の携帯端末の制御方法は、撮像を行う少なくとも一のカメラ部を有する筐体から分離され、前記カメラ部を遠隔操作する携帯端末の制御方法であって、入力音声を、前記カメラ部の画角を制御する制御信号として出力する第１のステップと、前記第１のステップで出力した前記制御信号を受信する第２のステップと、前記第２のステップで受信した前記制御信号に応じて、前記画角を制御する第３のステップとを有する。
【発明の効果】
【００１３】
本発明によれば、手振れが発生することなく、遠隔操作で撮像を行うことができる。
【図面の簡単な説明】
【００１４】
【図１】図１は、本発明の実施形態に係るイヤホンマイク付き携帯端末の構成例を示す外観斜視図である。
【図２】図２は、本発明の実施形態に係るイヤホンマイク付き携帯端末の構成例を示す外観斜視図である。
【図３】図３は、本発明の実施形態に係るイヤホンマイク付き携帯端末の信号処理系の構成例を示す概略ブロック図である。
【図４】図４は、本発明の実施形態に係る検出部を説明するための図である。
【図５】図５は、本発明の実施形態に係るＩＮカメラの構成例を示す概略ブロック図である。
【図６】図６は、本発明の実施形態に係るイヤホンマイク２付き携帯端末１の動作例を示すフローチャートである。
【発明を実施するための形態】
【００１５】
以下、本発明の実施形態を図面に関連付けて説明する。
【００１６】
［イヤホンマイク２付き携帯端末１の全体像］
イヤホンマイク２付き携帯端末１の全体像を図１および図２に関連づけて説明する。
図１および図２は、本発明の実施形態に係るイヤホンマイク付き携帯端末の構成例を示す外観斜視図である。
図１には、イヤホンマイク２が接続された携帯端末１の開状態が例示されている。図２には、携帯端末１のみの閉状態が例示されている。
【００１７】
図１に図示するように、携帯端末１は、受話筐体（本発明の筐体）３と、送話筐体４とを有する。携帯端末１は、本実施形態では、携帯電話機として構成されている。携帯端末１は、例えば、ＰＨＳ（Personal Handyphone System）であってもよい。
【００１８】
受話筐体３および送話筐体４は、連結部５により開閉可能に連結されている。受話筐体３および送話筐体４は、閉状態で互いに対向する面（正面）側の正面側ケース３ａ、４ａと、その背面側の背面側ケース３ｂ、４ｂとをそれぞれ有する。これらケースは、たとえば樹脂によりそれぞれ一体成形される。このように、携帯端末１は、いわゆる折り畳み式の携帯端末として構成されている。
【００１９】
図１に図示するように、受話筐体３には、正面側ケース３ａの正面側（本発明の第１の筐体面）に画像を表示する表示部１１１が面に沿って設けられている。その上部の開口部３ｃには、インカメラ１８（以後ＩＮカメラ、本発明の第１のカメラ部）が設けられている。このように、ＩＮカメラ１８は、受話筐体３の正面側に設けられているため、例えば、携帯端末１を把持した者自身を撮像（撮影）する場合に使用される。
以下、携帯端末１を把持し、その操作を行う者を単に「ユーザ」という。このＩＮカメラ１８を使用してユーザ自身を撮像することを単に「自分撮り」という。
【００２０】
図２に図示するように、受話筐体３には、背面側ケース３ｂの背面側（本発明の第２の筐体面）に設けられた開口部３ｄにアウトカメラ（以後ＯＵＴカメラ、本発明の第２のカメラ部）１９と、画像等を表示する表示部１１１ａと、背面側から発光するストロボ１１４とが設けられている。このように、ＯＵＴカメラ１９は、受話筐体３の背面側に設けられているため、例えば、風景や第三者を撮像する場合に使用される。
【００２１】
図１に図示するように、送話筐体４は、正面側に操作部１１０を有する。操作部１１０には、テンキーボタンやシャッターキーが割り当てられたキー等が配置されている。シャッターキーは、ＩＮカメラ１８またはＯＵＴカメラ１９に撮像指示を与えるキーである。以後、シャッターキーが割り当てられたキーを単に「シャッターキー」という。
撮像時には、ＩＮカメラ１８およびＯＵＴカメラ１９の内、何れか一方のカメラが使用される。シャッターキーが押下された場合には、撮像を行うための撮像指示が、何れか一方のカメラに与えられる。
【００２２】
なお、受話筐体３には、音声を出力する端末用スピーカ１５（図３参照）が設けられ、送話筐体４には、音声を入力する端末用マイクロフォン１６（図３参照）が設けられている。
【００２３】
図１に図示するように、送話筐体４の側面部４ｃには、イヤホンマイク２を接続するためのイヤホンジャック１１（図３参照）が配置されている。図１には、イヤホンマイク２のイヤホンプラグ２５が、イヤホンジャック１１に挿入されている場合が図示されている。
【００２４】
イヤホンマイク２は、携帯端末１が出力する音声を拝聴できる機能と、携帯端末１を遠隔操作することができる遠隔操作機能とを有する。これらの機能を使用する場合には、イヤホンマイク２のイヤホンプラグ２５が、携帯端末１のイヤホンジャック１１に接続（挿入）される。この場合、遠隔操作部２６による遠隔操作によって、通話の切断指示、通話の開始指示、ＩＮカメラ１８またはＯＵＴカメラ１９への撮像指示を与えることができる。
【００２５】
具体的には、イヤホンマイク２は、フックスイッチ２１、マイクロフォン（本発明の出力部）２２、一対のスピーカ２３、ケーブル２４ａ、２４ｂ、イヤホンプラグ２５、および遠隔操作部（本発明の遠隔操作部）２６を有する。
【００２６】
遠隔操作部２６は、フックスイッチ２１およびマイクロフォン２２を有する。遠隔操作部２６は、片手で把持することができるように、樹脂等で形成されている。遠隔操作部２６には、その表面に、フックスイッチ２１が押下可能に設けられている。
【００２７】
フックスイッチ２１は、操作部１１０のシャッターキーと同様の機能を有する。即ち、フックスイッチ２１は、ＩＮカメラ１８またはＯＵＴカメラ１９に撮像を行うための撮像指示を与える場合に押下される。何れのカメラを使用するかは、予め設定される。
【００２８】
携帯端末１の操作部１１０を操作してＩＮカメラ１８またはＯＵＴカメラ１９に撮像指示を与える場合、シャッターキー等を押下するため、手振れが生じやすい。これに対して、フックスイッチ２１を押下してＩＮカメラ１８またはＯＵＴカメラ１９に撮像指示を与える場合、片手で携帯端末１を把持し、他方の手で撮像指示を与えることができるため、手振れを防止することができる。
【００２９】
フックスイッチ２１の近傍には、音声を入力することができるように、マイクロフォン２２が設けられている。マイクロフォン２２は、入力された音声を音声信号として携帯端末１に出力する。
【００３０】
ところで、ＩＮカメラ１８およびＯＵＴカメラ１９は、被写体をズームインまたはズームアウト（ズームイン／ズームアウト）することができるズーム機能を有する。
即ち、ズームインでは、これらのカメラの画角が望遠となる（小さくなる）ように制御される。ズームアウトでは、これらのカメラの画角が広角となる（大きくなる）ように制御される。
【００３１】
先に述べたように、携帯端末１の操作部１１０を操作してズームイン／ズームアウトをする場合、手振れが生じるだけでなく、使い勝手が悪い。
そこで、本実施形態では、携帯端末１の操作部１１０を使用してＩＮカメラ１８またはＯＵＴカメラ１９の画角を制御する替わりに、マイクロフォン２２を使用して、これらのカメラの画角を制御することができる。
【００３２】
特に、受話筐体３の正面側に設けられたＩＮカメラ１８は、自分撮りを行う場合に使用されることが多い。この場合、ユーザは、自分自身が写るように携帯端末１を把持する手を伸ばし、表示部１１１のプレビュー画像（スルー画像）を確認しながら、ズームイン／ズームアウトを行って、携帯端末１のシャッターキーを押下する。
【００３３】
このため、２つのカメラが搭載された携帯端末１では、ＩＮカメラ１８の画角が、マイクロフォン２２に入力される音声によって、優先的に制御されることが望ましい。以下、マイクロフォン２２に入力される音声によって、ＩＮカメラ１８の画角が制御されるものとする。
【００３４】
画角の制御は、マイクロフォン２２に入力された音声の継続時間によって行われる。具体的には、ユーザは、マイクロフォン２２に、例えば、「あ」のような音声を短時間（例えば、２００ｍｓ）入力する。このような音声がマイクロフォン２２に入力されると、例えば、ズーム倍率が２倍（×２）になる。続いて、このような音声がマイクロフォン２２に入力されると、ズーム倍率が３倍（×３）になる。このように、音声がマイクロフォン２２に入力される度に、ズーム倍率が上がる。即ち、画角が次第に望遠になる（小さくなる）。
【００３５】
「あ」のような音声がマイクロフォン２２に何度も入力され、ズーム倍率が最大（例えば、１０倍）、即ち、画角が最小になったものとする。次に、音声がマイクロフォン２２に入力されると、ズーム倍率が９倍（×９）になる。更に音声がマイクロフォン２２に入力されると、ズーム倍率が８倍（×８）になる。このように、ズーム倍率が最大倍率に達すると、音声がマイクロフォン２２に入力される度に、ズーム倍率が下がる。即ち、画角が次第に広角になる（大きくなる）。
【００３６】
遠隔操作部２６の一端には、ケーブル２４ａが接続され、他端には、ケーブル２４ｂが接続されている。ケーブル２４ａの一端には、スピーカ（イヤホン）２３が接続されている。ケーブル２４ｂの一端には、イヤホンプラグ２５が接続されている。
【００３７】
［イヤホンマイク付き携帯端末の信号処理系の詳細］
イヤホンマイク付き携帯端末の信号処理系を図３に関連づけて説明する。
図３は、本発明の実施形態に係るイヤホンマイク付き携帯端末の信号処理系の構成例を示す概略ブロック図である。
【００３８】
図３に図示するように、携帯端末１は、イヤホンジャック（本発明の受信部）１１、増幅器１２、検出部１３、音声入出力部１４、端末用スピーカ１５、端末用マイクロフォン１６、ＣＰＵ（本発明の制御部）１７、ＩＮカメラ１８、ＯＵＴカメラ１９、操作部１１０、表示部１１１、１１１ａ、通信部１１２、アンテナ１１３、ストロボ１１４、および記憶部１１５を有する。
【００３９】
なお、イヤホンジャック１１、ＣＰＵ１７、およびＩＮカメラ１８によって、本発明の第１のカメラ部が構成されている。イヤホンジャック１１、ＣＰＵ１７、および、ＯＵＴカメラ１９によって、本発明の第２のカメラ部が構成されている。
【００４０】
図３には、遠隔操作部２６を構成するフックスイッチ２１およびマイクロフォン２２と、スピーカ２３とが図示されている。なお、イヤホンプラグ２５（図１参照）は、その図示が省略されている。
【００４１】
携帯端末１は、例えば、通話機能、電子メール機能、Ｗｅｂサイトの閲覧機能、カメラ機能を有する。
通話機能は、他の通信機器と音声通話を行う機能である。電子メール機能は、電子メールの作成、電子メールの送受信を行う機能である。音声通話や電子メールの使用時には、ネットワークを介して他の通信機器と通信が行われる。
カメラ機能は、ＩＮカメラ１８またはＯＵＴカメラ１９を用いて被写体を撮像することができる機能である。
【００４２】
イヤホンジャック１１は、イヤホンマイク２のイヤホンプラグに接続される。この場合、携帯端末１とイヤホンマイク２との間で信号の伝達が可能となる。
【００４３】
フックスイッチ２１は、このスイッチが押下された場合、撮像信号Ｓ１を生成し、これを携帯端末１のＣＰＵ１７に出力する。この撮像信号Ｓ１は、ＩＮカメラ１８またはＯＵＴカメラ１９に撮像を行わせるための信号である。
【００４４】
マイクロフォン２２には、ＩＮカメラ１８の画角を制御するための音声が入力される。マイクロフォン２２は、この音声を音声信号Ｓ２として増幅器１２に出力する。換言すれば、この音声信号（本発明の制御信号）Ｓ２は、ズームイン／ズームアウトを行うための制御信号である。
【００４５】
増幅器１２は、マイクロフォン２２から入力された音声信号Ｓ２を検出部１３がそれを検出可能な大きさに増幅する。そして、増幅器１２は、増幅した音声信号を増幅音声信号Ｓ３として検出部１３に出力する。
増幅器１２は、音声入出力部１４が出力した音声を増幅器１２し、スピーカ２３に出力する。
【００４６】
検出部１３は、増幅器１２から入力された増幅音声信号Ｓ３の継続時間を検出する。この継続時間の検出について、図４を参照しながら説明する。
【００４７】
図４は、本発明の実施形態に係る検出部を説明するための図である。
図４において、縦軸は、増幅器１２によって増幅された増幅音声信号Ｓ３の電圧を示す。横軸は、時間を示す。
【００４８】
図４に図示するような増幅音声信号Ｓ３が、検出部１３に入力されるものとする。検出部１３は、増幅音声信号Ｓ３が所定時間（例えば、２００ｍｓ）継続し、かつ、電圧が閾値（例えば、３Ｖ）に達している有音部分Ａ〜Ｄを入力音声であるものとして検出する。即ち、有音部分Ａ〜Ｄは、「あ」のような音声がマイクロフォン２２に４回入力されたことを意味する。
検出部１３は、有音部分（例えば、有音部分Ａ〜Ｄ）を検出する度に、検出信号Ｓ４をＣＰＵ１７に出力する。
【００４９】
音声入出力部１４は、端末用マイクロフォン１６から入力されたアナログの音声信号をデジタルの音声データに変換してＣＰＵ１７に出力するため、アナログの音声信号に対して、増幅、アナログ・デジタル（Ａ／Ｄ）変換、符号化等の処理を施す。
音声入出力部１４は、ＣＰＵ１７から供給されたデジタルの音声データを端末用スピーカ１５またはイヤホンマイク２のスピーカ２３に出力するため、デジタルの音声データに対して、デジタル・アナログ（Ｄ／Ａ）変換、増幅等の信号処理を施す。
【００５０】
ＣＰＵ１７は、携帯端末１の全般の動作を制御する。具体的には、ＣＰＵ１７は、通話機能、電子メール機能、カメラ機能、Ｗｅｂサイトの閲覧機能等を行うための処理を行う。
カメラ機能において、ＣＰＵ１７は、フックスイッチ２１から撮像信号Ｓ１が入力されると、これをＩＮカメラ１８またはＯＵＴカメラ１９に出力する。これにより、ＩＮカメラ１８またはＯＵＴカメラ１９は、被写体を撮像する。
【００５１】
詳細には、ＩＮカメラ１８に対して、ＣＰＵ１７は、検出部１３から検出信号Ｓ４が入力される度に、画角を広角から望遠に制御し、画角が最大望遠になった後、画角を望遠から広角に制御するように、画角を制御する制御信号Ｓ５を駆動部１８４に出力する。ＯＵＴカメラ１９に対しても同様に、ＣＰＵ１７は、制御信号Ｓ５を駆動部１８４に出力する。
【００５２】
この他、ＣＰＵ１７は、例えば、通信部１１２の通信制御、記憶部１１５とのアクセス、音声入出力部１４における音声処理の制御、表示部１１１へのデータ表示、操作部１１０からの操作の受付、ストロボ１１４のフラッシュ制御を行う。
【００５３】
ＩＮカメラ１８およびＯＵＴカメラ１９は、被写体を撮像する。撮像時には、いずれか一方のカメラが使用される。本実施形態では、マイクロフォン２２によって、ＩＮカメラ１８の画角が制御されるものとする。
【００５４】
操作部１１０は、操作によって入力された操作信号をユーザの指示としてＣＰＵ１７に出力する。
【００５５】
表示部１１１、１１１ａは、例えば、液晶ディスプレイ（ＬＣＤ；Liquid Crystal Display）によって構成されている。表示部１１１、１１１ａは、プレビュー画面、ＩＮカメラ１８やＯＵＴカメラ１９が出力した画像を表示する。
【００５６】
通信部１１２は、ＣＰＵ１７が出力した送信信号を所定の変調方式に変調し、変調した送信信号を電波信号としてアンテナ１１３を介して基地局に送信する。通信部１１２は、アンテナ１１３を介して基地局から受信した電波信号を変調方式に対応した復調を行い、復調した信号を受信信号としてＣＰＵ１７に出力する。
【００５７】
アンテナ１１３は、本実施形態においては内蔵型アンテナである。アンテナ１１３は、例えばロッドアンテナであってもよい。アンテナ１１３は、所定の周波数帯域における電磁波を基地局（不図示）に向けて送信、または基地局から受信する。
【００５８】
ストロボ１１４は、ＣＰＵ１７の制御に従って、ＩＮカメラ１８やＯＵＴカメラ１９が撮像を行うときにフラッシュを放つ。
【００５９】
記憶部１１５は、例えば、不揮発性の記憶デバイス（フラッシュメモリ）やランダムアクセス可能な記憶デバイス（ＳＲＡＭ、ＤＲＡＭ）で構成されている。記憶部１１５には、ＩＮカメラ１８やＯＵＴカメラ１９によって撮像された画像、アプリケーションプログラム、ＣＰＵ１７に出力結果、プログラムの処理過程で利用される一時的なデータ等が記憶される。
【００６０】
イヤホンマイク２のスピーカ２３には、携帯端末１の音声入出力部１４が出力した音声が増幅器１２を介して入力される。スピーカ２３は、この音声を出力する。
【００６１】
ＩＮカメラ１８およびＯＵＴカメラ１９の構成例を図５に関連づけて説明する。
図５は、本発明の実施形態に係るＩＮカメラの構成例を示す概略ブロック図である。
なお、ＯＵＴカメラ１９の構成は、ＩＮカメラのものと同一であるため、その図示および説明は省略する。
【００６２】
図５に図示するように、ＩＮカメラ１８は、光学系１８１、撮像素子（ＣＣＤ）１８２、信号処理部１８３、および駆動部１８４を有する。
【００６３】
光学系１８１は、レンズＬＮＳを有する。レンズＬＮＳは、ズームイン／ズームアウトに対応するため、例えば、ズームレンズによって構成されている。レンズＬＮＳは、被写体ＯＢＪの像を撮像素子１８２の撮像面に結像させる。光学系１８１は、駆動部１８４から入力された駆動信号Ｓ１８４により、画角が制御される。即ち、光学的にズームアウト／ズームインが行われる。
【００６４】
この他、光学系１８１は、例えば、光量を調節する絞り（不図示）や光学ローパスフィルタ（不図示）を有する。光学ローパスフィルタは、ナイキスト周波数以上の高周波成分をカットすることができるフィルタである。
【００６５】
撮像素子１８２は、例えば、ＣＣＤ（Charge Coupled Device）によって構成されている。撮像素子１８２をＣＭＯＳ（Complementary Metal Oxide Semiconductor）イメージセンサ等の撮像素子によって構成することもできる。
撮像素子１８２は、ＣＰＵ１７から入力された撮像信号Ｓ１に基づいて、撮像を行う。このとき、撮像素子１８２は、光学系１８１を介して入射された光をその光量に応じたアナログ信号に変換する。そして、撮像素子１８２は、撮像データとしてのアナログ信号Ｓ１８２を信号処理部１８３に出力する。
【００６６】
信号処理部１８３は、例えば、ＤＳＰ（Digital Signal Processor）で構成されている。信号処理部１８３は、ＣＰＵ１７の制御に基づいて、撮像素子１８２から入力されたアナログ信号Ｓ１８２に対して画像処理を施す。この画像処理は、例えば、カラー補間、ガンマ補正、ホワイトバランス処理である。信号処理部１８３は、画像処理によって生成された画像を表示部１１１または記憶部１１５に出力する。なお、ＣＰＵ１７が信号処理部１８３の機能を実行することもできる。
【００６７】
駆動部１８４は、制御信号Ｓ５を受けると、画角を制御する駆動信号Ｓ１８４を光学系１８１に出力する。
【００６８】
［イヤホンマイク２付き携帯端末１の動作例］
イヤホンマイク２付き携帯端末１の動作例を図６に関連づけて説明する。
図６は、本発明の実施形態に係るイヤホンマイク２付き携帯端末１の動作例を示すフローチャートである。
【００６９】
以下の説明では、ズームイン／ズームアウトをしながらＩＮカメラ１８で被写体ＯＢＪの撮像を行うものとする。このとき、ユーザは、片手に携帯端末１を把持し、他方の手にイヤホンマイク２の遠隔操作部２６を把持するものとする。あるいは、片手に携帯端末１を把持するのではなく、ＩＮカメラ１８で被写体ＯＢＪを撮像できるように、携帯端末１を机上等に固定することもできる。
【００７０】
図６に図示するように、ユーザは、マイクロフォン２２に音声を入力する（ＳＴ１）。例えば、ズーム倍率を２倍にする場合には、ユーザは、「あ」のような短い音声を一度入力する。
マイクロフォン２２は、この音声を音声信号Ｓ２として増幅器１２に出力する。すると、増幅器１２は、マイクロフォン２２から入力された音声信号Ｓ２を検出部１３がその音声信号を検出可能な大きさに増幅する。そして、増幅器１２は、増幅した音声信号を増幅音声信号Ｓ３として検出部１３に出力する。
【００７１】
その後、検出部１３は、増幅器１２から入力された増幅音声信号Ｓ３の継続時間を検出する（ＳＴ２）。そして、検出部１３は、有音部分を検出する度に、検出信号Ｓ４をＣＰＵ１７に出力する。すると、ＣＰＵ１７は、検出部１３から検出信号Ｓ４が入力される度に、画角を制御する制御信号Ｓ５をＩＮカメラ１８の駆動部１８４に出力する。駆動部１８４は、制御信号Ｓ５を受けると、画角を制御する駆動信号Ｓ１８４を光学系１８１に出力する。これにより、ＩＮカメラ１８の画角が制御される（ＳＴ３）。
【００７２】
ズーム倍率が適切になったら、ユーザは、フックスイッチ２１を押下する。このとき、フックスイッチ２１は、撮像信号Ｓ１をＣＰＵ１７に出力する（ＳＴ４）。そして、ＩＮカメラ１８は、ＣＰＵ１７から撮像信号Ｓ１を受けて、被写体ＯＢＪの撮像を行う（ＳＴ５）。
【００７３】
以上の説明では、ＩＮカメラ１８を例に挙げて説明したが、イヤホンマイク２を使用してＯＵＴカメラ１９を遠隔操作する場合も同様である。
【００７４】
以上、本実施形態によれば、イヤホンマイク２を使用して、携帯端末１のＩＮカメラ１８およびＯＵＴカメラ１９を遠隔操作することができるため、携帯端末１の操作部１１０を操作する必要がない。したがって、手振れを防止することができ、鮮明な画像を得ることができる。
【００７５】
特に、ズームイン／ズームインを行う場合には、音声でズーム倍率を調整することができる。このため、手振れを防止することができるだけでなく、被写体を適切な倍率で撮像することができる。更には、ズームイン／ズームアウトの操作が非常に簡単であるという利益が得られる。
【００７６】
カメラが搭載された一般的な携帯端末では、集合写真等、ユーザ自身を含めた撮像を行う場合、携帯端末を机上等に固定し、セルフタイマーを使用して撮像を行うことが一般的である。しかしながら、一般的な携帯端末では、適切なシャッターチャンスを得ることが非常に困難である。
これに対して、本実施形態における携帯端末１では、遠隔操作で撮像を行うことができるため、シャッターチャンスを逃さず、容易に集合写真等を撮ることができる。
【００７７】
本実施形態では、検出部１３が、「あ」のような短時間の音を検出する度に、ズーム倍率が変更される。例えば、検出部１３が「あー」のような連続した音を検出することで、マイクロフォン２２に入力する音声が長い程、ズーム倍率が連続的に大きく、または小さくなるように携帯端末１を構成することもできる。
【００７８】
マイクロフォン２２に入力する音声は、例えば、「ズームアウト」のような単語であってもよい。具体的なズーム倍率を音声でマイクロフォン２２に入力し、所望するズーム倍率となるように、ＩＮカメラ１８およびＯＵＴカメラ１９の画角を制御できるようにしてもよい。
【００７９】
本実施形態では、イヤホンマイク２のイヤホンプラグ２５と携帯端末１のイヤホンジャック１１が、有線接続されるが、両者を無線で接続できるようにすることもできる。検出部１３をＩＮカメラ１８やＯＵＴカメラ１９に組み込み、検出信号Ｓ４を直接駆動部１８４に出力して画角を制御するようにしてもよい。
【符号の説明】
【００８０】
１…携帯端末、２…イヤホンマイク、３…受話筐体、３ａ…正面側ケース（第１の筐体面）、３ｂ…背面側ケース（第２の筐体面）、３ｃ、３ｄ…開口部、４…送話筐体、４ｃ…側面部、５…連結部、１１…イヤホンジャック（受信部）、１２…増幅器、１３…検出部、１４…音声入出力部、１５…端末用スピーカ、１６…端末用マイクロフォン、１７…ＣＰＵ、１８…ＩＮカメラ（インカメラ）、１９…ＯＵＴカメラ（アウトカメラ）、２１…フックスイッチ、２２…マイクロフォン（出力部）、２３…スピーカ、２４ａ、２４ｂ…ケーブル、２５…イヤホンプラグ、２６…遠隔操作部、１１０…操作部、１１１、１１１ａ…表示部、１１２…通信部、１１３…アンテナ、１１４…ストロボ、１１５…記憶部、１８１…光学系、１８２…撮像素子、１８３…信号処理部、１８４…駆動部、Ｓ１…撮像信号、Ｓ２…音声信号、Ｓ３…増幅音声信号、Ｓ４…検出信号、Ｓ５…制御信号、Ｓ１８２…アナログ信号、Ｓ１８４…駆動信号
【図１】
2010177898.tif 000003
【図２】
2010177898.tif 000004
【図３】
2010177898.tif 000005
【図４】
2010177898.tif 000006
【図５】
2010177898.tif 000007
【図６】
2010177898.tif 000008